(57)【特許請求の範囲】
【請求項１】
入力信号を増幅して増幅された信号を出力する増幅器を備える主信号経路とフィード・フォワード経路とを含むフィード・フォワード歪み低減回路を較正する方法であって、
該主信号経路上に信号が存在しないときに、較正パイロット信号を該主信号経路上の該増幅器の入力に周期的に注入する段階と、
該増幅器によって増幅された該較正パイロット信号の一部を該フィード・フォワード経路上に結合する段階と、
該主信号経路上に注入した該較正パイロット信号と該フィード・フォワード経路上に結合した該較正パイロット信号とを１つのノードで組み合わせる段階と、
該組み合わせる段階の後の該主信号経路上に注入した該較正パイロット信号に基づいて、該フィード・フォワード経路上に結合した該較正パイロット信号の該一部と該主信号経路上の該増幅された較正パイロット信号との間の相対的な位相と振幅とを調節する段階とからなることを特徴とする方法。
【請求項２】
請求項１に記載の方法において、
該結合する段階に先立って、該主信号経路上に注入した該較正パイロット信号を増幅する段階からなることを特徴とする方法。
【請求項３】
請求項２に記載の方法において、該調節する段階は、
該組み合わせる段階の後の該主信号経路上の該較正パイロット信号に基づいて、該フィード・フォワード経路上に結合した該較正パイロット信号の該位相と振幅とを調節する段階を含むことを特徴とする方法。
【請求項４】
請求項３に記載の方法において、該調節する段階は、
該フィード・フォワード経路上に結合した該較正パイロット信号の該位相と振幅とを、該組み合わせる段階の後に調節して、該主信号経路上に注入した該較正パイロット信号を低減する段階を含むことを特徴とする方法。
【請求項５】
請求項１に記載の方法において、該フィード・フォワード歪低減回路は、第２のフィード・フォワード経路をさらに含み、該方法は、
該主信号経路上の該１つのノードの該較正パイロット信号の一部を第２のフィード・フォワード経路に結合する段階と、
該主信号経路上の該較正パイロット信号と該第２のフィード・フォワード経路上に結合した該較正パイロット信号とを該主信号経路上の該１つのノードの出力側に位置する第２のノードで組み合わせる段階と、
該主信号経路上の該較正パイロット信号に基づいて、該第２のフィード・フォワード経路上に結合した該較正パイロット信号の該一部と該主信号経路上の該較正パイロット信号との間の相対的な位相と振幅とを、該第２の組み合わせる段階の後に調節する段階とからなる方法。
【請求項６】
請求項５に記載の方法において、該調節する段階は、
該主信号経路上に注入した該較正パイロット信号に基づいて該第２のフィード・フォワード経路上に取得した該較正パイロット信号の該位相と振幅とを、該第２の組み合わせる段階の後に調節する段階を含むことを特徴とする方法。
【請求項７】
入力信号を増幅して増幅された信号を出力する増幅器を備える主信号経路と該入力信号を該増幅された信号に結合するフィード・フォワード経路とを含む歪み低減回路のための較正システムであって、
主信号経路上の該増幅器の入力に接続され、該主信号経路上に信号が存在しないときに該主信号経路に該較正パイロット信号を周期的に注入するパイロット発生器と、
該増幅された較正パイロット信号の一部を該フィード・フォワード経路上に結合する結合装置と、
該主信号経路上に配置され、該主信号経路上の該較正パイロット信号と該フィード・フォワード経路上に結合した該増幅された較正パイロット信号とを受信し、該主信号経路上の該較正パイロット信号と該フィード・フォワード経路上に結合した該増幅された較正パイロット信号とを組み合わせる組み合わせデバイスと、
該主信号経路上の該組み合わせデバイスの出力側の該較正パイロット信号に基づいて、該主信号経路上の該較正パイロット信号と該フィード・フォワード経路上に結合した該較正パイロット信号との間の相対的な位相と利得とを調節するように構成された利得・位相回路とからなるシステム。
【請求項８】
請求項７に記載のシステムにおいて、該利得・位相回路は、該フィード・フォワード経路上に配置され、該組み合わせデバイスの後の該主信号経路上の該較正パイロット信号に基づいて、該フィード・フォワード経路上に結合した該較正パイロット信号の位相と振幅とを調節する利得・位相調節器を含むことを特徴とするシステム。
【請求項９】
請求項８に記載のシステムにおいて、該利得・位相回路は、該フィード・フォワード経路上に結合した該較正パイロット信号の該位相と振幅とを調節して、該組み合わせデバイスの後の該主信号経路上の該較正パイロット信号を低減させるシステム。
【請求項１０】
請求項８に記載のシステムであって、
該組み合わせデバイスの後の該較正パイロット信号の一部を取得して、残りの較正パイロット信号を第２のフィード・フォワード経路に結合する第２の結合装置と、
該組み合わせデバイスの後の該主信号経路上に配置され、該主信号経路上の該較正パイロット信号と該第２のフィード・フォワード経路上に結合した該較正パイロット信号とを組み合わせる第２の組み合わせデバイスとからなり、
該位相・利得回路は、該第２の組み合わせデバイスの後の該主信号経路上の該較正パイロット信号に基づいて、該フィード・フォワード経路上に結合した該較正パイロット信号の該一部と該主信号経路上の該較正パイロット信号との間の相対的な位相と振幅とを調節するように構成されているシステム。
【発明の詳細な説明】
【０００１】
【発明の背景】
本発明は、増幅器に関し、更に特定すれば、フィード・フォワード歪み低減システムのための較正システムに関する。
【０００２】
【従来の技術の説明】
増幅器は、多くの場合、望ましくない歪みを信号に加え、歪みすなわち非線形成分と入力信号成分とから成る出力信号を生成する。歪みは、入力信号に加えられたいずれかの望ましくない信号、すなわち、入力信号に悪影響を与える望ましくない信号を含む。従って、増幅器が生成する歪みをほぼ解消するか、または大幅に低減させることができる技法を考案する必要がある。
【０００３】
最新の増幅器においては、様々な入力パターンによる増幅器の線形性を改善するために、フィード・フォワード補正が日常的に実施されている。フィード・フォワード補正の基本は、増幅器によって生じる相互変調（ＩnterＭoＤulation：ＩＭＤ）成分のような歪みを操作し、最終的な加算点において歪みを打ち消すようにすることである。入力される信号パターンの不確定性のみならず、結果として生じる歪みの位置の不確定性のために、いくつかのフィード・フォワード方式では、公知の信号すなわちパイロット信号を主信号経路に注入して、増幅プロセスによって生じる歪みを模倣する。フィード・フォワード増幅器では、フィード・フォワード歪み低減回路が歪みと共にパイロット信号を最小に抑える。このため、パイロットを検出し打ち消すようにフィード・フォワード歪み低減回路を設計することによって、歪みも除去することができる。
【０００４】
フィード・フォワード増幅器システムの出力は低減されたパイロット信号を含み、このパイロット信号を検出回路を用いて検出し、フィード・フォワード歪み低減回路に情報を供給して、出力におけるパイロット信号の打ち消しを改善する。また、フィード・フォワード歪み低減回路の出力におけるパイロット信号の検出から得られる情報によって、フィード・フォワード歪み低減回路の個々の構成要素の動作における変化を補償することも可能である。しかしながら、実際のシステムでは、歪みおよびパイロット信号が完全に打ち消されることは希である。フィード・フォワード歪み低減システムには、厳しい動作許容度が要求される。例えば、ＩＭＤにおける３０ｄＢの低減を達成するためには、典型的なフィード・フォワード補正システムは、＋０．１ｄＢまたは−０．１ｄＢの周波数平坦応答（動作周波数帯域にわたる振幅のずれ）および＋１度または−１度の位相線形性（動作周波数帯域における直線からの位相のずれ）を要求する場合がある。この精度を得ることは難しい。
【０００５】
パイロットの打ち消し、および出力信号の振幅に対するパイロット信号の相対的な振幅のために、フィード・フォワード歪み低減システムの出力において、パイロット信号の振幅は通常比較的小さい。従って、システムの出力でパイロット信号を検出することが難しくなる。補正回路の出力におけるパイロット信号の検出を改善するために、パイロット信号を適切な位置に配置すると共に検出を改善するための方式が開発されている。
【０００６】
パイロット信号の必要性を解消するために、パイロットレス・フィード・フォワード歪み(pilot feedforward distortion)の低減方式が開発されている。しかしながら、パイロットレス・フィード・フォワード低減方式は、フィード・フォワード歪み低減システムの出力で検出可能であると共にフィード・フォワード低減回路の動作の変化を補償するために使用可能な公知のパイロット信号を有しない。このため、パイロットレス・フィード・フォワード低減回路は、例えば経年変化または温度変化のために個々の構成要素の動作特性が変化していると、性能が劣化する恐れがある。
【０００７】
従って、歪みの低減を改善させるフィード・フォワード歪み低減システムのための較正システムに対する要望がある。
【０００８】
【発明の概要】
本発明は、周期的にパイロット信号を用いてフィード・フォワード低減システムを較正するフィード・フォワード歪み低減システムのための較正システムに関する。フィード・フォワード歪み低減システムを較正する際に、較正システムは、周期的に、例えば信号経路上に信号が存在しない時に、パイロット信号を信号経路上に注入する。信号経路上のパイロット信号の一部を、フィード・フォワード歪み低減システムのフィード・フォワード経路に供給する。フィード・フォワード経路上のパイロット信号を信号経路上のパイロット信号と組み合わせ、較正システムは、フィード・フォワード経路上のパイロット信号と信号経路上のパイロット信号との間の相対的な位相および振幅を調節して、パイロット信号の所望の組み合わせを達成する。従って、較正システムはフィード・フォワード歪み低減システムを較正して、パイロット信号の組み合わせを改善させることによって、フィード・フォワード歪み低減システムの歪み低減を改善させる。
【０００９】
例えば、パイロットレス・フィード・フォワード歪み低減システムの通常動作の間、このシステムは主信号経路上で増幅する信号を受信し、この信号を主信号経路上およびフィード・フォワード経路上に複製する。主信号経路上の信号は利得および位相回路に印可する。利得および位相回路の出力は増幅器に印可する。増幅器の出力は、増幅信号と、主信号経路上の増幅器によって生じた歪みとから成る。増幅器の出力の一部は結合経路上に配され、フィード・フォワード経路上の信号の遅延バージョンと組み合わせて、増幅器から生成された歪みを分離する。利得および位相回路は、信号の利得および位相をフィード・フォワード経路上の遅延信号のほぼ逆（振幅は等しいが位相は１８０度ずれている）に調節するように制御される。フィード・フォワード経路上の歪みをフィード・フォワード経路上の利得および位相回路によって調節し、結果として得られるフィード・フォワード経路上の歪みを用いて、主信号経路上の歪みを低減させる。パイロット信号は信号と共に主信号経路に注入されず、パイロットレス・フィード・フォワード補正回路の出力において検出されないので、フィード・フォワード補正システム内のデバイスの動作の変化によって、歪み低減性能の劣化を招く恐れがある。このため、較正システムは、周期的にパイロット信号を主信号経路に注入し、このパイロット信号の測定値に基づいて、パイロットレス・フィード・フォワード補正回路を較正する。
【００１０】
【発明の詳細な記述】
以下で、本発明の原理による、パイロットレス・フィード・フォワード歪み低減システムのための較正システムの例示的な実施例を説明する。図１は、フィード・フォワード歪み低減システム１０の全体的なブロック図を示す。このシステムは、無線周波数（ＲＦ）増幅器のような増幅器１２の出力からの歪みを低減させるためにパイロット信号を用いない。経年変化、温度およびその他の理由によって構成要素の動作特性が変化すると、パイロットレス・フィード・フォワード歪み低減システム１０の動作が劣化する恐れがあるが、システム１０はパイロットレスであるので、これらの動作の変化の一部を補償できない場合がある。フィード・フォワード歪み低減システム１０の動作特性の変化を補償するために、較正システムは制御信号１６によって活性化することができるパイロット発生器１４を用いる。パイロット発生器１４は、主信号経路１８上または信号Ｓのバージョンを搬送する他の経路上に信号Ｓが存在しない時に、発生することができる。あるいは、パイロット信号は、他の基準に合致する場合に発生させることができる。
【００１１】
一旦、パイロット信号を発生したなら、増幅器１２の前に主信号経路１８に注入する。増幅器１２からの増幅パイロット信号の一部を結合器１９を用いて主信号経路１８から結合して、結合経路２０上に配する。結合経路２０から、結合器２２は結合経路２０からのパイロット信号をフィード・フォワード経路２４上に結合する。このパイロット信号をフィード・フォワード経路２４上でフィード・フォワードして、主信号経路１８上のパイロット信号と組み合わせる。この実施例では、結合器２２の出力を利得および位相調節器２６に印可する。利得および位相調節器２６はフィード・フォワード経路２４上の信号の位相および／または振幅を調節する。フィード・フォワード低減システム１０を較正している場合、利得および位相調節器２６を較正して、利得および位相較正回路２８から供給された位相および／または利得制御信号に従って、利得および／または位相の調節を行う。位相および利得制御回路２８は、フィード・フォワード歪み低減システム１０の出力における、主信号経路１８上の結合器３２から取得したパイロット信号のサンプルに応答して、位相および／または利得調節信号を供給する。
【００１２】
位相および／または利得較正回路２８は、調節器２６によって供給された位相および／または利得を調節して、信号経路１８上およびフィード・フォワード経路２４上の信号間の相対的な位相および／または利得を調節し、結合器２７におけるパイロット信号の打ち消しを改善する。結合器２７における打ち消しは、遅延２９のような、増幅器１２の後の経路１８上のデバイスの動作特性の変化によって劣化している場合がある。所望の位相および／または振幅の調節を決定するために、位相および利得制御回路２８は結合器２７の後のパイロット信号のサンプルを受信する。いくつかの実施例では、利得および位相制御回路２８は対数検出器のようなパイロット検出器３０およびヌル回路３１を含む。結合器３２は結合器２７の出力の後の信号のサンプルを生成し、パイロット検出器３０に送出する。パイロット検出器３０はこのパイロット信号の振幅を示す信号を生成する。ヌル回路３１は、位相および利得調節器２６に位相および／または利得調節信号を供給することによって、パイロット検出器３０からの信号を低減することで結合器２７における打ち消しを改善しようとする。結合器２７においてパイロット信号を打ち消すために、主信号経路１８上のパイロット信号とフィード・フォワード経路２４上のパイロット信号との組み合わせは、等しい振幅で、かつ１８０度ずれた位相で行わなければならない。実施例によっては、組み合わせ信号間において、２ｄＢの振幅差および１７５ないし１８５度の位相差で十分である場合がある。
【００１３】
フィード・フォワード歪み低減システム１０は第１のフィード・フォワード歪み低減段３４を含み、これ自体、本発明の原理による較正システムを用いたパイロットレス・フィード・フォワード歪みシステムと呼ぶことができる。フィード・フォワード低減システム１０は、破線で示す第２のフィード・フォワード歪み低減段３６のみならず、追加の段（図示せず）も含むことができる。第２のフィード・フォワード歪み低減段３６を用いて、第１の段３４によって生じた歪みをフィード・フォワードして、主信号経路１８からの歪みを更に低減させる。主信号経路１８上の結合器３７は、第２のフィード・フォワード段３６からの歪み信号を主信号経路１８上の第１のフィード・フォワード段３４からの歪みを有する信号の遅延バージョンと組み合わせて、主信号経路１８からの歪みを低減させる。主信号経路１８上の歪みを有する信号は、遅延３９によって遅延させる。遅延３９のような主信号経路１９上のデバイスは、結合器２７における歪みの打ち消しを劣化させる恐れがある。
【００１４】
第２の段３６を有するフィード・フォワード歪み低減システム１０を較正するために、第２のフィード・フォワード段３６の入力に利得および位相調節器４１を配置する。利得および位相調節器４１を較正し、利得および位相較正回路４３から供給した位相および／または利得制御信号に従って、利得および／または位相調節を行う。位相および利得制御回路４３は、フィード・フォワード歪み低減システム１０の出力における、主信号経路１８上の結合器３２から取得したパイロット信号のサンプルに応答して、位相および／または利得調節信号を供給する。この実施例では、位相および／または利得較正回路４３は、調節器４１が供給する位相および／または利得を調節して、結合器３７におけるパイロット信号の打ち消しを改善する。結合器３７における打ち消しは、遅延３９のような、増幅器１２の後の経路１８上のデバイスの動作特性の変化によって劣化している場合がある。この実施例では、利得および位相制御回路４３は、パイロット較正回路２８のパイロット検出器３０およびヌル回路４５を含む。結合器３２は結合器３７の出力の後の信号のサンプルを生成してパイロット検出器３０に送出し、パイロット検出器３０はこのパイロット信号の振幅を示す信号を生成する。ヌル回路４５は、位相および利得調節器４１に位相および／または利得調節信号を供給することによって、パイロット検出器３０からの信号を低減することで、結合器３７における打ち消しを改善しようとする。
【００１５】
他の実施例では、位相および利得較正回路４３は他の対数検出器のような別個のパイロット検出器（図示せず）を含み、結合器３７の出力の後の主信号経路上のパイロット信号のサンプルを受信する。更に別の実施例では、位相および利得検出器２８は、結合器２７の後であるが遅延３９の前の主信号経路１８上の信号のサンプルを受信し、位相および利得検出器４３は結合器３２から信号を受信する。結合器２７においてパイロット信号を打ち消すために、主信号経路１８上のパイロット信号とフィード・フォワード経路２４上のパイロット信号との組み合わせは、等しい振幅で、かつ１８０度ずれた位相で行わなければならない。実施例によっては、組み合わせ信号間において、２ｄＢの振幅差および１７５ないし１８５度の位相差で十分である場合がある。
【００１６】
信号の組み合わせ点の後のような様々な位置におけるパイロット信号の測定に基づいたシステムにおいて、信号の組み合わせ点の前のような様々な位置で位相および／または利得調節を行う追加の実施例が可能である。更に、本開示の利点と共に、当業者によって理解されるような、本発明の原理に従った追加のフィード・フォワード歪み低減段（図示せず）を追加し較正することができる。
【００１７】
通常動作の間、フィード・フォワード歪み低減段３４はスプリッタ３８から主信号経路１８上で増幅する信号Ｓを受信し、この信号Ｓを主信号経路１８上およびフィード・フォワード経路２４上に複製する。主信号経路１８上の信号Ｓを利得および位相回路４０に印可する。利得および位相回路４０の出力を増幅器１２に印可する。増幅器１２の出力は増幅器１２が生成した歪みＤを有する増幅入力信号Ｓから成る。増幅器１２の出力ＳおよびＤの一部を結合経路２０上に配し、結合器２２において経路２４上の信号Ｓの遅延バージョンと組み合わせて、増幅器１２が生成した歪みＤを分離する。遅延２５は信号Ｓを遅延させるので、信号Ｓの対応部分を結合器２２で組み合わせることができる。遅延２５は、ナノ秒のオーダーとすれば良い。
【００１８】
利得および位相回路４０を位相および利得コントローラ４２によって制御して、増幅器１２の前の主信号経路１８上の信号Ｓの利得および位相を調節し、結合器２２における増幅信号ＳおよびＤが経路２４上の遅延信号Ｓのほぼ逆である（振幅は等しいが位相は１８０度ずれている）ようにする。いくつかの実施例では、利得および位相制御回路４２は、結合器４６が供給する結合経路２０上の増幅信号ＳおよびＤの一部と、結合器４８が供給する経路２４上の信号Ｓの遅延バージョンとから導出される制御信号（複数の制御信号）とを、利得および位相回路４０の制御経路（複数の制御経路）４４上に供給する。これは、本願と同時に出願し、同一譲受人に譲渡された、「パイロットレス・フィード・フォワード歪み低減システム（Pilotless Feed Foward Distortion Reduction System）」と題する特許出願に記載されている通りである。この出願は、この言及によって本願にも含まれるものとする。組み合わせ信号間で、所望の振幅および位相の関係（例えば、組み合わせ信号の振幅は同じであり位相が１８０度ずれている）を維持するので、組み合わせ信号Ｓは十分に打ち消され、結合器２２において歪みＤを分離する。他の実施例では、利得および位相制御回路４２は対数検出器およびヌル回路とすることができる。かかる実施例では、結合器５０が結合器２２の出力の後の信号のサンプルを生成してログ検出器に送出し、ログ検出器はこの信号の振幅を示す信号を生成する。ヌル回路は、位相および利得調節器４０に制御信号４４を供給することによって、ログ検出器からの信号を低減することで、信号の打ち消しおよび結合器２２の後の歪みの分離を改善しようとする。
【００１９】
いずれの場合にも、位相および利得制御回路４２または別個の較正コントローラ（図示せず）は、結合器４６、４８、および／または５０またはその他からのサンプルを用いて、フィード・フォワード歪み低減システム１０内に信号Ｓが存在するか否かを決定することができる。信号Ｓが存在しない場合、位相および利得コントローラ４２（または較正コントローラ）は、パイロット信号発生器１４に較正活性化信号を供給して、パイロット信号較正システムを活性化することができる。一旦較正が完了したなら、パイロット発生器１４を非活性化することができる。信号Ｓが存在する場合、位相および利得制御回路４２は、結合器２２において信号Ｓを打ち消すように、位相および利得回路４０の位相および利得を調節する。
【００２０】
組み合わせ信号Ｓの打ち消しが改善されると、フィード・フォワード歪み低減システム１０では、結合器２２におけるフィード・フォワード経路２４上の歪みＤの分離が改善される。フィード・フォワード歪み低減段３４は、経路２４上の分離した歪みＤをフィード・フォワードして、主信号経路１８上の歪みＤを低減させる。このため、結合器２２における歪みＤの分離が改善することによって、結合器２７における段３４の出力からの歪みＤの低減の改善をもたらすことができる。この実施例では、結合器２２の出力を利得および位相調節器２６に印可し、次いで位相および利得調節器５６に印可する。位相および利得調節器５６は、利得および位相制御回路５８からの位相および利得制御信号に従って、信号Ｄを調節する。位相および利得制御回路５８は、本願と同時に出願し、同一譲受人に譲渡された、「自動利得および位相コントローラを組み込んだフィード・フォワード増幅器の改良（Feed Forward Amplifier Improvement Incorporating An Automatic Gain and Phase Controller）」と題する特許出願に記載されているような自動利得および位相制御回路等である。この出願は、この言及により本願にも含まれるものとする。位相および利得制御回路５８は、結合器６０および６２から受信した入力に応答して、利得および位相制御信号を供給する。結合器６０は経路２４上の増幅器６４の前に配置し、結合器６２は、増幅器６４の後に配置している。
【００２１】
利得および位相調節器５６の出力を増幅器６４に印可する。増幅器６４の出力は、増幅信号Ｄと増幅器６４によって生じた歪み信号ｄ1 とから成る。段３４は、結合器２７に印可される信号Ｄの対応部分を弱め合うように組み合わせて、結合器２７において低減した歪みＤ’（および歪みｄ1）を有する増幅信号Ｓを生成するように設計されている。
【００２２】
上述のように、歪みにおける３０ｄＢの低減を達成するために、段３４の動作において厳しい許容度が要求される。長期的な経年変化および他の要因によって、フィード・フォワード歪み低減システム１０の動作特性に変化が起こる可能性がある。主信号経路１８上の信号Ｓからの歪みを低減させるためにパイロット信号を用いないので、これらの変化の一部は本質的に補償されず、このため性能の劣化に至る。例えば、時間が経つにつれて、遅延２９のような主信号経路１８上のデバイスは動作が経時変化し、システムの性能を劣化させる恐れがある。システム１０の出力におけるパイロット信号の測定値に応答して、システム１０の位相および利得調節を行うことによって、パイロット信号較正システムをトリガして、フィード・フォワード低減システムを較正することができる。
【００２３】
結合器２７における段３４の出力において歪みを３０ｄＢ低減させることから、段３４の出力で歪みを２０または２５ｄＢ低減させることに目標を変更すると、許容度はさほど厳しくする必要はない。いくつかの実施例では、歪み低減システムは、本発明の原理に従った多数のパイロットレス・フィード・フォワード低減段を用いて、ＲＦ増幅器１２の出力からの歪みを更に低減させる。このため、パイロット信号較正システムは、パイロット信号の追加の調節および測定を行って、第２のフィード・フォワード歪み低減段３６のような追加の段を較正することができる。
【００２４】
通常動作の間、第２のフィード・フォワード低減段３６は、結合器７４から、第１のフィード・フォワード低減段３４からの低減歪みＤ’およびいかなる追加の歪みｄ１も受信する。結合器７２は、主信号経路１８上からの歪みＤ’およびｄ１を有する信号Ｓの一部を第２の結合経路７０上に結合する。結合器７４は、結合経路７０から歪みＤ’およびｄ1 を有する信号Ｓを受信し、結合経路７０からの信号Ｓおよび歪みＤ’およびｄ1 を、スプリッタ７８から得られた経路７６上の遅延信号Ｓと組み合わせる。この実施例では、スプリッタ７８は入力信号Ｓを受信し、入力信号Ｓのバージョンを第１のフィード・フォワード段３４のスプリッタ３８および経路７６に供給する。経路７６上の入力信号Ｓは遅延８０によって遅延させる。経路７６上の信号Ｓは遅延回路８０によって十分な遅延を与えられ、信号Ｓが、経路７０を介して結合器７４に現われる信号Ｓと同じだけ遅延するようになっている。結合器７４は、第２の結合経路７０からの信号Ｓを、経路７６からの信号Ｓと弱め合うように組み合わせて、第２のフィード・フォワード装置３６に至る経路７６上で、第１のフィード・フォワード装置３４からの残りの歪みＤ’およびｄ1 を分離する。
【００２５】
信号Ｓの打ち消しを改善して、第１のフィード・フォワード段３４からの歪みＤ’およびｄ1 を残すために、結合器８２は、歪みＤ’およびｄ1 を有するいずれかの残りの信号Ｓの一部を取得して、この信号を利得および位相制御回路８４に供給する。この実施例では、利得および位相制御回路８４は、対数検出器８６およびヌル回路８８とすることができる。結合器８２は結合器７４の出力の後の信号のサンプルをログ検出器８６に生成し、ログ検出器８６は、このサンプルの振幅を示す信号を生成する。ヌル回路８８は、第１のフィード・フォワード装置３４の入力における位相および利得調節器９０に制御信号を供給することによって、ログ検出器８６からの信号を低減させることで、残りの信号Ｓの打ち消しを改善し、結合器８２の後の歪みＤ’およびｄ1 を分離しようとする。代替的な実施例では、利得および位相制御回路８４は、結合経路７０上の信号ＳおよびＤの一部と、経路７６上の信号Ｓの遅延バージョンとから導出された制御信号（複数の制御信号）を利得および位相回路９０に供給する。これは、本願と同時に出願し、同一譲受人に譲渡された、「パイロットレス・フィード・フォワード歪み低減システム（Pilotless Feed Foward Distortion Reduction System）」と題する特許出願に記載されている通りである。
【００２６】
第２のフィード・フォワード段は、第１のフィード・フォワード段３４について上述した通りに動作するように構成することができる。第２のフィード・フォワード段３６は第１のフィード・フォワード段３４によって生じた歪みを受信し、Ｄおよびｄ１の増幅バージョンを生成し、これをフィード・フォワードして、主信号経路１８上の増幅信号Ｓからの歪みＤ’およびｄ１を更に低減させる。従って、第２のフィード・フォワード段３６の出力９４において、増幅歪み信号Ｄおよびｄ１（ならびに、第２のフィード・フォワード段３６の増幅器（図示せず）によって導入されたいかなる小さい歪み信号）を結合器３７に供給する。結合器３７は、第２のフィード・フォワード段３６からの歪み信号Ｄ’およびｄ1 を主信号経路１８上の歪みＤ’およびｄ1 を有する信号Ｓの遅延バージョンと組み合わせて、第１のフィード・フォワード段３４によって生じた歪みＤ’のみならず、残りの歪みｄ1 も更に低減させる。
【００２７】
上述の実施例に加えて、記載したシステムの構成要素を省略および／または追加して、および／または記載したシステムの変形もしくは部分を用いて、較正システムおよび多段フィード・フォワード歪み低減システムの代替的な構成が可能である。例えば、較正システムおよび歪み低減システムは結合器およびスプリッタを用いるものとして記載したが、３ｄＢスプリッタおよび他の結合、信号分割またはサンプリング装置のような他のデバイス、ならびに加算器のような他の組み合わせデバイスを用いることができる。スプリッタおよび／または結合器は、時に、２つの経路上に信号を複製するものとして記載したが、信号は複製である必要ではないことは理解されよう。更に、説明の目的のために、フィード・フォワード歪み低減システムの説明は、異なる場所における信号ＳおよびＤに言及する。これは、異なる位置における対応する信号が同一であることを意味するわけではない。例えば、増幅器１２の前の信号Ｓは、増幅信号Ｓと同じ振幅を有するのではなく、信号Ｓは、この例では、対象の信号であるが振幅が異なるものである。
【００２８】
加えて、フィード・フォワード歪み低減システムは、可変利得および位相調節器を、位相および利得制御回路によって制御するとして説明している。用途によっては、利得および／または位相調節器は、固定および／または可変とすることができ、更に、フィード・フォワード装置におけるそれらの位置は変更可能である。このため、パイロット較正システムの位置付けも、本開示の利点と共に、当業者によって理解されるように変更されよう。更に、本発明の原理による較正システムのパイロットは、持続波（Ｃontinuous Ｗave：ＣＷ）パイロット、スペクトル拡散パイロット、変調パイロット、パルス・パイロット、変動周波数のパイロット、または異なる周波数成分を有するパイロットを用いることができる。フィード・フォワード・システムは、更に個別の構成要素の異なる構成を用いるものとして記載したが、較正システムおよびその部分は、特定用途向け集積回路、ソフトウエア駆動処理回路、ファームウエア、または、本開示の利点と共に当業者に理解されるような個別の構成要素の他の構成において実施可能であることは理解されよう。これまで記載したことは、本発明の原理の適用を単に例示したに過ぎない。ここに図示し記載した例示的な用途に厳密に従うことなく、かつ、本発明の精神および範囲から逸脱することなく、本発明には、これらおよび様々な他の変更、構成、および方法が可能であることを、当業者は容易に認めよう。
【図面の簡単な説明】
【図１】パイロットレス・フィード・フォワード歪み低減システムのための、本発明の原理による較正システムの全体的なブロック図である。
【図１】
0003540212.tif 000002